(57)【特許請求の範囲】
【請求項１】
施設園芸用温室において内方に液体を流通させかつ園芸作業台車の移動用のレールとなるレールパイプを連結する連結具であって、
中間部を介して複数設けられ前記レールパイプ同士の端部のそれぞれの内方に挿入される筒状の挿入本体部と、
前記挿入本体部に設けられ前記レールパイプの内壁面に接合する接合部と、
前記挿入本体部に設けられた水密部と、
前記挿入本体部に設けられ前記内壁面に接合されずに前記レールパイプを補強する非接合部とを備え、
前記接合部、前記水密部および前記非接合部が、前記中間部に対して前記接合部、前記水密部および前記非接合部の順に設けられており、
前記接合部が、前記挿入本体部の外壁面に設けられた山部を有し、前記山部が前記内壁面に噛み合わされる連結具。
【請求項２】
前記山部が、前記中間部に向かって傾斜している請求項１に記載の連結具。
【請求項３】
前記山部が、螺旋状に形成されている請求項１または請求項２に記載の連結具。
【請求項４】
前記挿入本体部が、先端から前記中間部に向かって径寸法が漸次大きくなるテーパー部を備え、
前記山部が、前記内壁面にネジを切るネジ切り刃であり、
前記テーパー部に前記山部が設けられている請求項１から請求項３のいずれか一項に記載の連結具。
【請求項５】
前記レールパイプの外面から前記レールパイプを締め付ける取り付けバンド部を備え、
前記取り付けバンド部は、前記非接合部の外方に設けられず少なくとも前記接合部の外方に設けられる請求項１から請求項４のいずれか一項に記載の連結具。
【請求項６】
請求項１から請求項５のいずれか一項に記載の連結具と、
前記連結具によって連結される前記レールパイプと
を備えるレールパイプの配管システム。
【発明の詳細な説明】
【技術分野】
【０００１】
本発明は、レールパイプを連結する連結具およびレールパイプの配管システムに関する。
【背景技術】
【０００２】
従来、例えば栽培ハウス内において、複数のレールパイプを連結する場合に、レールパイプ同士の端部を溶接して連結する手段が知られている（例えば、特許文献１参照）。
【先行技術文献】
【特許文献】
【０００３】
【特許文献１】特開２０１９−１３０５７４号公報
【発明の概要】
【発明が解決しようとする課題】
【０００４】
しかしながら、上記のような溶接によりレールパイプを連結する手段では、溶接技能が必要となるだけでなく作業時間が多くかかってしまうという問題がある。
【０００５】
以上に鑑みて、本発明は、迅速かつ容易にレールパイプを連結することができる連結具およびレールパイプの配管システムを提供することを目的とする。
【課題を解決するための手段】
【０００６】
上記課題を解決するために、本発明は以下の手段を提供する。
本発明は、施設園芸用温室において内方に液体を流通させかつ園芸作業台車の移動用のレールとなるレールパイプを連結する連結具であって、中間部を介して複数設けられ前記レールパイプ同士の端部のそれぞれの内方に挿入される筒状の挿入本体部と、前記挿入本体部に設けられ前記レールパイプの内壁面に接合する接合部と、前記挿入本体部に設けられた水密部と、前記挿入本体部に設けられ前記内壁面に接合されずに前記レールパイプを補強する非接合部とを備え、前記接合部、前記水密部および前記非接合部が、前記中間部に対して前記接合部、前記水密部および前記非接合部の順に設けられており、前記接合部が、前記挿入本体部の外壁面に設けられた山部を有し、前記山部が前記内壁面に噛み合わされる。
【発明の効果】
【０００７】
本願の一観点によれば、迅速かつ容易にレールパイプを連結することができる。
【図面の簡単な説明】
【０００８】
【図１】本発明の実施形態としての連結具およびレールパイプの配管システムを示す平面図である。
【図２】図１のレールパイプと連結具の連結の様子を示す側断面図である。
【図３】図２のＤ線で示す領域において挿入本体部を示す側断面図である。
【図４】図１のレールパイプと連結具の連結の様子を示す図であって、(Ａ)はレールパイプと取り付けバンド部を外方から示す側面図、（Ｂ）は(Ａ)のＥ−Ｅ線においてレールパイプ、取り付けバンド部および支柱部を示す断面図である。
【図５】図３の山部の変形例を示す側断面図である。
【図６】図３の山部の他の変形例を示す説明図である。
【図７】支柱部に変えて設けられる高さ調整部を示す説明図である。
【図８】支柱部に変えて設けられる他の高さ調整部を示す説明図である。
【発明を実施するための形態】
【０００９】
（実施形態）
以下、本発明の実施形態における連結具およびレールパイプの配管システムについて説明する。
図１は、本発明の実施形態としての連結具１および配管システム１００を示す平面図である。
配管システム１００は、施設園芸用温室である栽培ハウス１１０内に設けられるものであり、温湯を流して培地を温め、かつ台車（園芸作業台車）６０を移動させるためのものである。なお、台車６０は、園芸作業を行うための台車である。園芸作業とは、芽欠きまたは葉欠きなどの栽培手入れ作業、果実の収穫作業、誘引作業、または摘果作業等を含むものである。すなわち、台車６０は、栽培手入れ作業昇降台車、収穫作業台車、誘引作業台車または摘果作業台車等となるものである。
この配管システム１００は、ヘッダ配管３０と、蛇腹管４０と、レールパイプ５０と、Ｕ字管９０と、連結具１と、を備えている。
ヘッダ配管３０は、蛇腹管４０を介してレールパイプ５０に温湯を流通させるものである。
蛇腹管４０は、蛇腹状に形成されており、ヘッダ配管３０およびレールパイプ５０に連結されて、ヘッダ配管３０とレールパイプ５０との間で温湯を流通させるものである。
【００１０】
レールパイプ５０は、筒状に形成されており、内方に温湯を流通させ、かつ台車６０の移動用のレールとなるものである。なお、少なくとも連結される前のレールパイプ５０の内壁面５０ａは、レールパイプ５０を連結するための連結加工が施されていない未加工の状態になっている。連結加工としては、雌ネジや溝などを設ける切削加工等がある。
このレールパイプ５０は、金属からなっており、連結具１に対して軟質の軟質材からなっている。
Ｕ字管９０は、平面視してＵ字状に形成されており、連結されたレールパイプ５０を折り返して連結するものである。
【００１１】
連結具１は、金属からなっており、レールパイプ５０に対して硬質の硬質材からなっている。この連結具１は、図２または図３に示すように、筒状に形成されており、内方に液体を流通させるようになっている。そして、連結具１は、連結されるそれぞれのレールパイプ５０に挿入される２つの挿入本体部２と、これら挿入本体部２の中間に配された中間部３とを備えている。これら中間部３と挿入本体部２とは一体に形成されている。
中間部３の内径寸法は、挿入本体部２の内径寸法と同一になっている。一方、中間部３の外径寸法は、挿入本体部２の外径寸法よりも大きくなっている。すなわち、中間部３は、挿入本体部２に対して、径方向外方に突出している。中間部３の外径寸法は、レールパイプ５０の内径寸法よりも大きく、レールパイプ５０の外径寸法よりも小さくなっている。そのため、２つの挿入本体部２がそれぞれレールパイプ５０に挿入されると、中間部３が、レールパイプ５０の開口端の間に配されるようになっている。
挿入本体部２は、中間部３を介して中心軸線Ａの外方にそれぞれ延ばされている。これら挿入本体部２は、中間部３において径方向に延びる対称軸線Ｂに対して線対称に形成されている。
【００１２】
挿入本体部２の外壁面のうち、中間部３に隣接する外壁面は、テーパー部４となっている。すなわち、テーパー部４は、先端（中心軸線Ａの外方）から中間部３に向かって、外径寸法が漸次大きくなるように傾斜している。つまり、テーパー部４とされた外壁面のうち、中間部３と隣接する基端部４ａの外径寸法が最も大きくなっており、先端部４ｂの外径寸法が最も小さくなっている。また、先端部４ｂの外径寸法は、挿入本体部２の他の外径寸法と同一になっている。
テーパー部４には、側面視して、中心軸線Ａ方向に連続した複数の山部５が設けられている。これら山部５は、レールパイプ５０の内壁面５０ａに接合する接合部として機能するものである。すなわち、挿入本体部２の外壁面に接合部が設けられている。
なお、接合とは、挿入本体部２が挿入される前の未加工の内壁面５０ａに連結加工が施されていない状態において、挿入本体部２の挿入後に少なくとも挿入本体部２からレールパイプ５０が抜けようとするときに、接合部が内壁面５０ａと接触してレールパイプ５０の抜け防止として機能することを意味する。接合部は、内壁面５０ａと常に接触していてもよいし、レールパイプ５０が抜けようとするときにのみ内壁面５０ａと接触してもよい。
【００１３】
これら山部５は、周方向に延ばされて多重に形成されている。具体的には、ここでは四重とされている。また、これら山部５は、挿入本体部２がレールパイプ５０に挿入されるときに、内壁面５０ａに径方向に噛み合わされてこの内壁面５０ａに接合するようになっている。
また、山部５は、その頂点部が中間部３側に偏心しており、中間部３に向かって傾斜している。
挿入本体部２の外壁面のうち、テーパー部４の先端側には、矩形状の溝部６が形成されている。溝部６は、周方向に延ばされており、中心軸線Ａ方向に所定の間隔を空けて２つ形成されている。
これら溝部６の中には、Ｏリング（水密部）７が設けられている。すなわち、挿入本体部２の外壁面に、Ｏリング７が設けられている。Ｏリング７は、内壁面５０ａに接触して、レールパイプ５０と挿入本体部２との水密性を保持するものである。
最先端の溝部６の先端側は開口端部とされており、この開口端部が非接合部８となっている。すなわち、挿入本体部２の先端部が非接合部８と兼用されている。
【００１４】
非接合部８は、挿入本体部２がレールパイプ５０に挿入されると、内壁面５０ａと接合しないようになっている。すなわち、非接合部８は、挿入本体部２の挿入後に内壁面５０ａと径方向に噛み合わされないようになっており、挿入本体部２からレールパイプ５０が抜けようとするときに、レールパイプ５０の抜け防止に実質的には機能しないようになっている。非接合部８は、挿入本体部２の挿入後に内壁面５０ａに接触していてもよいし、接触していなくてもよい。なお、非接合部８が内壁面５０ａに接触していると、非接合部８と内壁面５０ａとの間の摩擦により、レールパイプ５０の抜け防止として多少は機能するものの、その摩擦力は弱く抜け防止には実質的には機能しない。
なお、非接合部８は、少なくともレールパイプ５０が撓もうとするときに、内壁面５０ａに接触して撓みの負荷に対して内方から抗し、レールパイプ５０の屈曲強度を補強するようになっている。
このように、山部５、Ｏリング７および非接合部８は、中間部３に対して、山部５、Ｏリング７および非接合部８の順に設けられている。
【００１５】
また、連結具１は、図４（Ａ）および（Ｂ）に示すように、支柱部７０と、この支柱部７０に設けられた取り付けバンド部８０とを備えている。なお、図４（Ｂ）において、挿入本体部２の図示を省略していることは言うまでもない。
支柱部７０は、角柱状に形成されており、上面にレールパイプ５０が設置されるようになっている。この支柱部７０は、レールパイプ５０を下方から支持するとともに、レールパイプ５０の高さを調整するものである。
取り付けバンド部８０は、金属からなっており、帯状に延ばされて形成されている。この取り付けバンド部８０は、支柱部７０の上方において挿入本体部２によって連結されたそれぞれのレールパイプ５０にわたって、レールパイプ５０の外面を覆うようにして取り付けられるようになっている。そして、取り付けバンド部８０は、ネジ９０によって、レールパイプ５０の外面からレールパイプ５０を締め付けるようにして固定するようになっている。
取り付けバンド部８０の幅寸法は、一方の最先端の溝部６から中間部３を挟んで他方の最先端の溝部６までの中心軸線Ａ方向の長さ寸法と同一になっている。すなわち、取り付けバンド部８０は、線対称に配置されたそれぞれの山部５、Ｏリング７および中間部３にわたってその外方に設けられており、非接合部８には設けられておらず非接合部８は解放された状態になっている。
【００１６】
次いで、連結具１および配管システム１００の動作について説明する。
栽培ハウス１１０内において、図２および図３に示すように、レールパイプ５０が以下のようにして連結される。なお、レールパイプ５０の内壁面５０ａは、未加工の状態になっている。
連結される一方のレールパイプ５０の筒孔に、一方の挿入本体部２が挿入されていく。まず、非接合部８が挿入されていき、次いでＯリング７が挿入されていく。Ｏリング７は、未加工の内壁面５０ａに接触しながら中心軸線Ａに沿って移動していく。そして、テーパー部４の先端部４ｂが挿入され、さらに基端部４ａまで挿入されていく。テーパー部４は硬質材からなり、また中間部３に向かって漸次拡径するように傾斜していることから、先端部４ｂから基端部４ａが筒孔に挿入されていくと、山部５が未加工の内壁面５０ａを噛むようにして奥へと進んで行く。このとき、山部５は中間部３に向かって偏心していることから、内壁面５０ａを噛みながら進みやすくなる。
【００１７】
そして、レールパイプ５０の開口端が中間部３の側壁部に接触して挿入本体部２の挿入が止められる。このとき、山部５は内壁面５０ａに噛み合わされるようになっている。そして、レールパイプ５０が挿入本体部２から抜けようとしても、山部５と内壁面５０ａとの噛み合いにより、互いにロックされ、抜けが防止されるようになっている。すなわち、山部５が内壁面５０ａに接合している。なお、山部５が中間部３に向かって偏心していることから、レールパイプ５０が抜けようとするときに、山部５が内壁面５０ａに強固にロックされ、抜け防止の機能が強化されるようになっている。
さらに、他方のレールパイプ５０の筒孔に、他方の挿入本体部２が、上記と同様にして挿入されていき、山部５が内壁面５０ａに接合される。
これにより、レールパイプ５０が連結される。
【００１８】
次いで、図４（Ａ）および（Ｂ）に示すように、これら連結されたレールパイプ５０が支柱部７０の上面に載せられる。そして、一方の最先端の溝部６から中間部３を挟んで他方の最先端の溝部６までにわたって、取り付けバンド部８０が巻かれる。このとき、互いの非接合部８には取り付けバンド部８０が巻かれずに解放された状態になっている。
そして、ネジ９０が締められることにより、レールパイプ５０が支柱部７０の上面に固定される。
なお、レールパイプ５０は、約４０℃〜８５℃の温湯を内方に流通させかつ台車６０の移動用のレールとしても機能するものである。レールパイプ５０に温湯が流通されると、レールパイプ５０は熱により膨張するだけでなく、台車６０がレールパイプ５０上を移動すると、振動したり、台車６０の重みによってレールパイプ５０が撓んだりしてしまう。非接合部８は、このような振動や撓みの負荷に対して、レールパイプ５０の内方から抗してレールパイプ５０の屈曲強度を補強する。さらに、非接合部８が取り付けバンド部８０から解放されていることから、レールパイプ５０が熱膨張したり撓もうとしたりしても、レールパイプ５０と非接合部８とのズレが許容され、レールパイプ５０への応力が分散される。
【００１９】
さらに、上記と同様にして、複数のレールパイプ５０が連結具１によって連結され、ヘッダ配管３０、蛇腹管４０およびＵ字管９０などが設置される。
このようにして、栽培ハウス１１０内において、レールパイプ５０が連結され、配管システム１００が設けられる。
【００２０】
以上より、本実施形態における連結具１によれば、未加工の内壁面５０ａを有するレールパイプ５０に挿入本体部２を挿入することにより、レールパイプ５０を連結することができる。そのため、内壁面５０ａに事前の連結加工などを施す必要もなく、また現地での溶接などの作業も不要にすることができるため、迅速かつ容易にレールパイプ５０を連結することができる。
また、Ｏリング７が設けられていることから、レールパイプ５０との水密を保持することができる。
また、非接合部８が設けられていることから、レールパイプ５０が振動や撓みにより、負荷がかかったときにも、その負荷に対して内方から抗してレールパイプ５０の屈曲強度を補強することができる。そのため、レールパイプ５０の耐久性を向上させることができる。
【００２１】
また、山部５、Ｏリング７および非接合部８が、中間部３に対して山部５、Ｏリング７および非接合部８の順に設けられていることから、レールパイプ５０同士の連結部分の接合力を向上させることによりレールパイプ５０の抜け防止機能を強化することができ、水密保持機能や屈曲強度の補強機能もさらに発揮させることができる。
また、山部５が設けられていることから、内壁面５０ａに噛み合わせることができ、山部５を内壁面５０ａに接合させることができる。
また、山部５が中間部３に向かって傾斜していることから、レールパイプ５０に挿入本体部２を挿入させやすくすることができるだけでなく、山部５と内壁面５０ａとの噛み合わせを強固にすることができ、レールパイプ５０の抜けをさらに防止することができる。
【００２２】
また、テーパー部４が設けられていることから、レールパイプ５０に挿入本体部２を挿入させやすくすることができるだけでなく、先端部４ｂから基端部４ａに向かって、山部５と内壁面５０ａとの噛み合わせを強固にすることができ抜けをさらに防止することができる。
また、レールパイプ５０が軟質材からなり、少なくとも山部５が硬質材からなることから、山部５と内壁面５０ａとを噛み合わせやすくすることができる。
【００２３】
また、取り付けバンド部８０が、山部５の外方において、レールパイプ５０を締め付け、非接合部８を解放していることから、レールパイプ５０の固定力を強化することができるだけでなく、レールパイプ５０に熱膨張や撓みなどが生じようとしても、非接合部８と内壁面５０ａとのズレを許容することができ、レールパイプ５０への応力を分散することができる。そのため、レールパイプ５０の耐久性を向上させることができる。
また、中間部３の外径寸法が、レールパイプ５０の内径寸法よりも大きく、レールパイプ５０の外径寸法よりも小さくなっていることから、連結される互いのレールパイプ５０における挿入本体部２の挿入位置を規制することができるだけでなく、レールパイプ５０上において台車６０をスムーズに移動させることができる。
また、本実施形態における配管システム１００によれば、上記の連結具１の効果を奏することができるだけでなく、レールパイプ５０の内方に温湯を流通させることにより、培地を温めることができるだけでなく、レールパイプ５０上に台車６０を移動させることにより、栽培作業を効率的に行うことができる。
【００２４】
なお、本発明の技術範囲は上記の実施形態に限定されるものではなく、本発明の趣旨を逸脱しない範囲において、種々の変更を加えることが可能である。
例えば、山部５が設けられるとしたが、この山部５の構成は適宜変更可能である。具体的には、図５に示すように、山部５ａが雄ネジとして形成されていてもよい。すなわち、山部５ａは螺旋状に形成されている。山部５ａは、側面視して、中心軸線Ａ方向に連続して複数設けられている。これら山部５ａの頂点は、底辺部の中央に配されており、側面視して二等辺三角形に形成されている。
このような構成のもと、レールパイプ５０を連結するときには、挿入本体部２をレールパイプ５０に挿入していく。このとき、レールパイプ５０を周方向に回転させることにより、山部５ａが内壁面５０ａに噛み合っていき、山部５ａと内壁面５０ａとが接合される。そのため、レールパイプ５０を迅速かつ容易に連結することができる。
【００２５】
また、図６に示すように、山部５ｂがネジ切り刃になっていてもよい。これら山部５ｂは、螺旋状に形成されており、側面視して、中心軸線Ａ方向に連続して複数設けられている。さらに、山部５ｂは、周方向に所定の間隔を空けて凹部５ｂ３が設けられており、周方向に複数の山部５ｂが設けられている。これら山部５ｂの径方向の高さ寸法は、周方向の先端部５ｂ１から基端部５ｂ２にかけて漸次大きくなるようになっている。すなわち、先端部５ｂ１の高さ寸法が最も小さく、漸次大きくなり、基端部５ｂ２の高さ寸法が最も大きくなっている。
このような構成のもと、レールパイプ５０を連結するときには、挿入本体部２をレールパイプ５０に挿入していく。このとき、レールパイプ５０を周方向に回転させることにより、山部５ｂが内壁面５０ａにネジを切っていくようにして噛み合っていき、山部５ａと内壁面５０ａとがより強固に接合される。そのため、レールパイプ５０を迅速かつ容易に連結することができるだけでなく、強固に連結することができる。
【００２６】
また、山部５，５ａ，５ｂの構成は、その他にも適宜変更可能である。
例えば、山部５，５ａ，５ｂの設置数は、適宜変更可能であり、１つであってもよいし、５つ以上であってもよい。また、山部５，５ａ，５ｂの形状は、三角形でなくてもよく、適宜変更可能であり、例えば矩形状や円形状などであってもよい。
また、接合部として、山部５，５ａ，５ｂを例に挙げているが、これに限ることはなく、その構成は適宜変更可能である。例えば、山部５，５ａ，５ｂに代えて、内壁面５０ａとの摩擦が大きくなるような摩擦面等が設けられていてもよいし、内壁面５０ａと接着するための接着剤等が設けられていてもよい。
【００２７】
また、支柱部７０が設けられるとしたが、これに限ることはなく、その構成は適宜変更可能である。例えば、図７に示すように、レールパイプ５０の設置高さを調整するための高さ調整部２００が設けられていてもよい。
高さ調整部２００は、レール幅を固定する幅木２０７を備えている。幅木２０７は、矩形板状に形成されており、対をなすレールパイプ５０にわたって延ばされている。幅木２０７の両端部には、高さ調整枠部２０４が設けられている。高さ調整枠部２０４は、正面視して、五角形の枠状に形成されている。この高さ調整枠部２０４は、底辺部が幅木２０７の両端部に載せられてネジ２０６が締められることによって固定されている。高さ調整枠部２０４は、幅方向に弾性変形するようになっており、これによって高さ寸法が変わるようになっている。高さ調整枠部２０４の底辺部の２点と上方頂点部の１点とを除く左右の点を結ぶ対角線上に、高さ調整ネジ２０５が設けられている。
【００２８】
また、高さ調整枠部２０４の上方部には、支持台２０１が設けられている。さらに、高さ調整枠部２０４の上方頂点部には、円弧状に延びる支持部２０３が一体に設けられている。支持部２０３は、レールパイプ５０に接触してレールパイプ５０を下方から支持するものである。そして、レールパイプ５０および支持部２０３を覆うようにして取り付けバンド部８０ａが設けられている。取り付けバンド部８０ａは、ネジ２０２が締められることによって固定されている。
このような構成のもと、高さ調整ネジ２０５が締められると、高さ調整枠部２０４の幅寸法が小さくなるように対角線上の２点部が近づくように弾性変形する。これにより、高さ調整枠部２０４の高さ寸法が大きくなり、レールパイプ５０の高さ位置を高くすることができる。一方、高さ調整ネジ２０５が緩められると、高さ調整枠部２０４の幅寸法が大きくなるように対角線上の２点部が離れるように弾性変形する。これにより、高さ調整枠部２０４の高さ寸法が小さくなり、レールパイプ５０の高さ位置を低くすることができる。
これにより、レールパイプ５０の高さ位置を容易に調整することができる。
【００２９】
また、例えば、図８に示すように、高さ調整部３００が設けられていてもよい。高さ調整部３００は、矩形板状に延びるベース板３０１と、このベース板３０１の両端部から上方に起ち上げられたベース側壁部３０２とを備えている。これら、ベース板３０１とベース側壁部３０２の内面側に、コ字状の固定枠部３０３が設けられている。固定枠部３０３は、ベース板３０１の上面に載せられた矩形板状の本体基板部３０３ａと、この本体基板部３０３ａの両端部からベース側壁部３０２に沿って上方に起ち上げられた本体側壁部３０３ｂとを備えている。
ベース側壁部３０２と本体側壁部３０３ｂとの間には、矩形板状に延びる支持板部３０５が設けられている。支持板部３０５には、高さ方向に延びる不図示の長孔が形成されており、この長孔にネジ３０４が通されている。支持板部３０５の先端には、レールパイプ５０に接触してレールパイプ５０を下方から支持する円弧部３０６が一体に設けられている。
このような構成のもと、ネジ３０４が緩められると、支持板部３０５の長孔にネジ３０４が通されたまま、長孔内においてネジ３０４が相対移動することができるようになる。そのため、支持板部３０５が高さ方向に移動することができるようになり、これにより、円弧部３０６を介してレールパイプ５０も高さ方向に移動するようになる。そして、所望の高さ位置においてネジ３０４が締められることにより、支持板部３０５がベース側壁部３０２と本体側壁部３０３ｂとの間で固定され、レールパイプ５０が所望の高さ位置において固定される。
これにより、レールパイプ５０の高さ位置を容易に調整することができる。
【００３０】
また、Ｏリング７などの水密部が設けられるとしているが、これに限ることはなく、水密部は設けられていなくてもよい。
また、非接合部８が設けられるとしているが、これに限ることはなく、非接合部８は設けられていなくてもよい。
また、山部５，５ａ，５ｂなどの接合部、水密部および非接合部８が、中間部に対して、接合部、水密部および非接合部８の順に設けられるとしたが、これに限ることはなく、順番は適宜変更可能である。
また、山部５，５ａ，５ｂが設けられるとしているが、これに限ることはなく、山部５，５ａ，５ｂは設けられていなくてもよい。
【００３１】
また、山部５が、中間部３に向かって傾斜しているとしているが、これに限ることはなく、挿入本体部２の先端に向かって傾斜していてもよいし、傾斜していなくてもよい。
また、山部５ａ，５ｂが、螺旋状に形成されているとしたが、これに限ることはなく、周方向に形成されて中心軸線Ａに沿って複数設けられていてもよい。
また、山部５ａ，５ｂが、二等辺三角形に形成されているとしているが、これに限ることはなく、中間部３に向かって傾斜していてもよいし、挿入本体部２の先端に向かって傾斜していてもよい。
また、テーパー部４が設けられるとしているが、これに限ることはなく、テーパー部４が設けられていなくてもよい。この場合、接合部の外壁面が中心軸線Ａ方向に沿って延ばされていてもよい。
また、取り付けバンド部８０，８０ａが設けられるとしているが、これに限ることはなく、取り付けバンド部８０，８０ａは設けられていなくてもよい。
また、取り付けバンド部８０，８０ａは、少なくとも接合部の外方に設けられて、非接合部８の外方には設けられていないとしているが、これに限ることはなく、非接合部８の外方に設けられていてもよい。
【００３２】
また、中間部３が設けられているが、これに限ることはなく、中間部３は設けられていなくてもよい。
また、中間部３がレールパイプ５０の外径寸法よりも小さいとしているが、これに限ることはなく、大きくなっていてもよい。
また、挿入本体部２が２つ設けられるとしているが、これに限ることはなく、その設置数は適宜変更可能である。例えば、３つ以上設けられていてもよい。
また、挿入本体部２が、互いに中心軸線Ａ方向の外方に延ばされているが、これに限ることはなく、その方向は適宜変更可能である。例えば、互いの挿入本体部２が、交差する方向に延ばされていてもよい。
また、中間部３が、挿入本体部２の間の中央部に設けられるとしているが、これに限ることはなく、いずれか一方に偏心していてもよい。すなわち、一方の挿入本体部２の長さ寸法が長くなっており、中間部３を介して設けられた他方の挿入本体部２の長さ寸法が短くなっていてもよい。
【００３３】
また、溝部６が挿入本体部２に２つ設けられているとしているが、これに限ることはなく、その設置数は適宜変更可能である。例えば、溝部６が１つであってもよいし、３つ以上であってもよい。
また、連結具１が金属からなっているとしているが、これに限ることはなく、その材質は適宜変更可能である。例えば、樹脂などであってもよい。
また、山部５，５ａ，５ｂなどの接合部が硬質材からなり、レールパイプ５０の内壁面５０ａが軟質材からなるとしているが、これに限ることはなく、互いに同じ材質であってもよいし、接合部が軟質材からなり、内壁面５０ａが硬質材からなっていてもよい。
また、栽培ハウス１１０を例として挙げているが、これに限ることはなく、連結具１および配管システム１００の設置する場所や状況は、適宜変更可能である。
【００３４】
既述の実施形態に関し、さらに以下の付記を示す。
（付記１）
施設園芸用温室において内方に液体を流通させかつ園芸作業台車の移動用のレールとなるレールパイプを連結する連結具であって、
中間部を介して複数設けられ前記レールパイプ同士の端部のそれぞれの内方に挿入される筒状の挿入本体部と、
前記挿入本体部に設けられ前記レールパイプの内壁面に接合する接合部と、
前記挿入本体部に設けられた水密部と、
前記挿入本体部に設けられ前記内壁面に接合されずに前記レールパイプを補強する非接合部とを備え、
前記接合部、前記水密部および前記非接合部が、前記中間部に対して前記接合部、前記水密部および前記非接合部の順に設けられており、
前記接合部が、前記挿入本体部の外壁面に設けられた山部を有し、前記山部が前記内壁面に噛み合わされる連結具。
【００３５】
（付記２）
前記山部が、前記中間部に向かって傾斜している付記１に記載の連結具。
【００３６】
（付記３）
前記山部が、螺旋状に形成されている付記１または付記２に記載の連結具。
【００３７】
（付記４）
前記挿入本体部が、先端から前記中間部に向かって径寸法が漸次大きくなるテーパー部を備え、
前記山部が、前記内壁面にネジを切るネジ切り刃であり、
前記テーパー部に前記山部が設けられている付記１から付記３のいずれか一項に記載の連結具。
【００３８】
（付記５）
前記レールパイプの外面から前記レールパイプを締め付ける取り付けバンド部を備え、
前記取り付けバンド部は、前記非接合部の外方に設けられず少なくとも前記接合部の外方に設けられる付記１から付記４のいずれか一項に記載の連結具。
【００３９】
（付記６）
付記１から付記５のいずれか一項に記載の連結具と、
前記連結具によって連結される前記レールパイプと
を備えるレールパイプの配管システム。
【符号の説明】
【００４０】
１    連結具
２    挿入本体部
３    中間部
４    テーパー部
５，５ａ，５ｂ  山部（接合部）
７    Ｏリング（水密部）
８    非接合部
５０  レールパイプ
５０ａ  内壁面
６０  台車（園芸作業台車）
８０，８０ａ  取り付けバンド部
１１０  栽培ハウス（施設園芸用温室）
【要約】      （修正有）【課題】迅速かつ容易にレールパイプを連結することができる連結具およびレールパイプの配管システムを提供する。【解決手段】施設園芸用温室１１０において内方に液体を流通させかつ園芸作業台車６０の移動用のレールとなるレールパイプ５０を連結する連結具１であって、中間部を介して複数設けられ前記レールパイプ５０同士の端部のそれぞれの内方に挿入される筒状の挿入本体部と、前記挿入本体部に設けられ前記レールパイプ５０の内壁面に接合する接合部と、前記挿入本体部に設けられた水密部と、前記挿入本体部に設けられ前記内壁面に接合されずに前記レールパイプ５０を補強する非接合部とを備え、前記接合部、前記水密部および前記非接合部が、前記中間部に対して前記接合部、前記水密部および前記非接合部の順に設けられており、前記接合部が、前記挿入本体部の外壁面に設けられた山部を有し、前記山部が前記内壁面に噛み合わされる。【選択図】図１【図１】
0006788090.tif 000002
【図２】
0006788090.tif 000003
【図３】
0006788090.tif 000004
【図４】
0006788090.tif 000005
【図５】
0006788090.tif 000006
【図６】
0006788090.tif 000007
【図７】
0006788090.tif 000008
【図８】
0006788090.tif 000009